(57)【特許請求の範囲】
【請求項１】
１オーダの写真原稿に記録された各駒画像から１又は複数の写真プリントを作成する、自動現像装置を含むプリント作成手段と、
当該オーダの処理に対応する料金を記録媒体に記録する料金記録手段と、
前記プリント作成手段により作成された当該オーダ分の１又は複数の写真プリントと前記料金記録手段により当該オーダの処理に対応する料金が記録された記録媒体とから、当該オーダ分の１又は複数の写真プリントを梱包した写真製品を作成する梱包手段とを有する写真製品生産システムにおいて、
前記記録媒体は１オーダ分の写真プリントの直前又は直後の位置をもってソータに向けて搬送され、前記１オーダ分の写真プリントの上に置かれることを特徴とする写真製品生産システム。
【請求項２】
前記１オーダ分の１又は複数の写真プリントに当該オーダの複数の駒画像を並べて記録するインデックスプリントが含まれることを特徴とする請求項１に記載の写真製品生産システム。
【請求項３】
前記記録媒体が、当該オーダの発注内容情報を記録することを特徴とする請求項１又は２に記載の写真製品生産システム。
【請求項４】
前記記録媒体が、当該オーダの納品先情報を記録することを特徴とする請求項１〜３のいずれか１項に記載の写真製品生産システム。
【請求項５】
前記記録媒体が、当該オーダのＩＤ情報又は発注者情報を記録することを特徴とする請求項１〜４のいずれか１項に記載の写真製品生産システム。
【請求項６】
前記記録媒体が、当該オーダの料金の内訳を記録することを特徴とする請求項１〜５のいずれか１項に記載の写真製品生産システム。
【請求項７】
１オーダの写真原稿に記録された各駒画像から１又は複数の写真プリントを作成するための露光工程と、
前記１オーダの写真プリントの搬送方向における当該写真プリントの直前又は直後の位置であって、当該写真プリントに用いられる写真感光材料上に、前記１オーダの処理に対応する料金を記録し、記録媒体を作成するための露光工程、又は、前記１オーダの写真プリントの搬送方向における当該写真プリントの直前又は直後に、１オーダの処理に対応する料金が記録された記録媒体を供給する工程と、
前記写真感光材料を現像する現像工程と、
前記写真感光材料を切断する切断工程と、を含み、かつ、
ソータ上であって、作成された写真プリントの最後の写真プリントの上に前記記録媒体が供給されることを特徴とする写真製品の生産方法。
【発明の詳細な説明】
【０００１】
【発明の属する技術分野】
本発明は、１オーダ分の１又は複数の写真プリントを梱包した写真製品を作成する写真製品生産システム又は１オーダ分の１又は複数の写真プリントを梱包した写真製品を生産する写真製品の生産方法に関する発明である。
【０００２】
【従来の技術】
従来から、１オーダ分の１又は複数の写真プリントを梱包した写真製品を作成するシステムや方法としては、オーダ毎に作成された１又は複数の写真プリントを当該オーダの写真原稿と共に、当該オーダの処理に対応する料金を記録した記録媒体を兼ねる又は貼られた写真袋に梱包していた。その際に、プリント等を収容する前に、この写真袋に当該オーダの料金情報を印字する又は印字したシールを貼っていた。また、この写真袋は、通常、当該オーダのＩＤ情報、発注者情報、納品先情報及び注文内容情報が予め記載されていた。
【０００３】
【発明が解決しようとする課題】
しかし、１オーダ分の１又は複数の写真プリントを当該オーダの写真原稿と共に、発注時の発注伝票を兼ねる写真袋に収容する方法では、作成されたプリントと料金を記録した記録媒体を兼ねる又は貼られた写真袋を照合する作業が必要で、多大な手間が必要であった。そこで、写真袋とプリントとの照合作業を簡素化するために、写真袋とプリントとを自動的に照合する装置など、様々なアイデアを考えたが、低コストで品質上の問題なく安定してできるアイデアが未だ出されていない。
【０００４】
そこで、１オーダ分の１又は複数の写真プリントと共に、当該オーダの処理に対応する料金を記録した記録媒体を供給して、照合作業の手間を簡素化したり、さらに、思い切って発注伝票を兼ねる写真袋を発注者に戻すことを止めて、この当該オーダの処理に対応する料金を記録した記録媒体を元に新たな写真袋を作成することで、当該オーダの処理に対応する料金を記録した記録媒体を兼ねる又は貼られた写真袋とプリントとの照合作業そのものを無くしたりすることを考えついた。
【０００５】
しかし、単に、記録媒体がその処理に対応する料金を記録したオーダの１又は複数の写真プリントと共に記録媒体を供給するたけでは、写真プリントの間に記録媒体が紛れ込み、梱包の効率が上がらない問題があった。
【０００６】
本発明は、上述の課題を解決するためのもので、記録媒体に記録された内容を読み取りやすいように写真製品を生産する際に、写真プリントの間に記録媒体が紛れ込むことなく、梱包の効率を上げることを目的とする。
【０００７】
【課題を解決するための手段】
本発明の目的は特許請求の範囲の各請求項により達成される。以下、用語と各請求項について説明する。但し、引用項の説明と重複する説明は省略する。
【０００８】
〔用語の説明〕
写真プリントとは、写真原稿が記録した画像を複写又は再現した媒体で、印画紙やプリント用写真フィルムやデュープ用写真フィルムなどのハロゲン化銀写真感光材料に写真原稿が記録した画像を露光し現像処理して作成したプリント媒体や、昇華型感熱転写装置により記録紙や昇華型感熱転写用フィルムに感熱転写させて写真原稿が記録した画像に相当する画像を作成したプリント媒体や、インクジェットプリンタにより記録紙などに写真原稿が記録した画像に相当する画像を形成したプリント媒体や、電子写真法のプリンタにより記録紙などに写真原稿が記録した画像に相当する画像を形成したプリント媒体などが挙げられるが、生産効率の観点から、ハロゲン化銀写真感光材料に写真原稿が記録した画像を露光し現像処理して作成するものが好ましい。
【０００９】
インデックスプリントとは、当該オーダの複数の駒画像を記録した写真プリントであり、他の写真プリントと同じ種類のプリント媒体で形成されていてもよいし、異なる種類のプリント媒体で形成されていてもよい。インデックスプリントも写真プリントと同様に、印画紙やプリント用写真フィルムやデュープ用写真フィルムなどのハロゲン化銀写真感光材料に写真原稿が記録した画像を露光し現像処理して作成したプリント媒体や、昇華型感熱転写装置により記録紙や昇華型感熱転写用フィルムに感熱転写させて写真原稿が記録した画像に相当する画像を作成したプリント媒体や、インクジェットプリンタにより記録紙などに写真原稿が記録した画像に相当する画像を形成したプリント媒体や、電子写真法のプリンタにより記録紙などに写真原稿が記録した画像に相当する画像を形成したプリント媒体などが挙げられるが、当該オーダの複数の駒画像を電子画像化して、形成することが多く、単位面積当たりの画素数が大きい媒体が好ましいので、昇華型感熱転写用フィルムに感熱転写させて写真原稿が記録した画像に相当する画像を作成したプリント媒体や、ハロゲン化銀写真感光材料に写真原稿が記録した画像をデジタル露光し現像処理して作成するプリント媒体が好ましい。
【００１０】
料金が記録された記録媒体としては、可視的に数字や文字や記号などで記録された記録媒体であってもよいし、光学的読取装置で読み取り可能なコード（バーコード、２次元コードなど）により記録された記録媒体であってもよいし、磁気的に読み取り可能な記録媒体であってもよいし、凹凸などの形状により読み取り可能な記録媒体であってもよいし、他の形態で読み取り可能な記録媒体であってもよい。
【００１１】
料金が記録された記録媒体としては、可視的に数字や文字や記号などで記録された記録媒体や光学的読取装置で読み取り可能なコード（バーコード、２次元コードなど）により記録された記録媒体のように、光学的に読み取り可能に料金を表示する記録媒体である場合、記録媒体としては、印画紙やプリント用写真フィルムやデュープ用写真フィルムなどのハロゲン化銀写真感光材料に料金を表示する像を露光し現像処理して作成した記録媒体や、昇華型感熱転写装置により記録紙や昇華型感熱転写用フィルムに感熱転写させて料金を表示する像を作成した記録媒体や、インクジェットプリンタにより記録紙などに料金を表示する像を形成した記録媒体や、電子写真法のプリンタにより記録紙などに料金を表示する像を形成した記録媒体などが挙げられる。また、この場合、記録媒体が当該１オーダ分の写真プリントと同じ種類のプリント媒体で形成されていてもよいし、異なる種類のプリント媒体で形成されていてもよい。
【００１２】
供給手段により、写真プリントや記録媒体や写真原稿が供給される際に、これらはむき出しの状態で供給されてもよいし、包装されて供給されてもよい。写真原稿が現像済ハロゲン化銀写真フィルムである場合、ネガシートやカートリッジなどの容器に収容された状態で供給されることが好ましい。
【００１３】
〔請求項１の説明〕『１オーダの写真原稿に記録された各駒画像から１又は複数の写真プリントを作成する、自動現像装置を含むプリント作成手段と、
当該オーダの処理に対応する料金を記録媒体に記録する料金記録手段と、
前記プリント作成手段により作成された当該オーダ分の１又は複数の写真プリントと前記料金記録手段により当該オーダの処理に対応する料金が記録された記録媒体とから、当該オーダ分の１又は複数の写真プリントを梱包した写真製品を作成する梱包手段とを有する写真製品生産システムにおいて、
前記記録媒体は１オーダ分の写真プリントの直前又は直後の位置をもってソータに向けて搬送され、前記１オーダ分の写真プリントの上に置かれることを特徴とする写真製品生産システム。』
により、当該オーダ分の１又は複数の写真プリントの直前又は直後に、当該オーダの処理に対応する料金を記録された記録媒体を搬送して供給するので、当該オーダの写真プリントと記録媒体との対応をとりやすく、かつ、梱包手段で記録媒体だけ特別な経路で処理するにしても処理しやすく、また、梱包手段で当該オーダの写真プリントと同一経路で処理してそのまま梱包しても外側に記録媒体が位置することになり、記録媒体に記録された内容を読み取りやすいように写真製品を生産する際に、梱包の効率を上げることができる。
【００１５】
〔請求項２の説明〕『前記１オーダ分の１又は複数の写真プリントに当該オーダの複数の駒画像を並べて記録するインデックスプリントが含まれることを特徴とする請求項１に記載の写真製品生産システム。』
により、インデックスプリントを他の写真プリントなどと照合させる必要なく梱包でき、インデックスプリントを含む写真製品でありながら、記録媒体に記録された内容を読み取りやすいように写真製品を生産する際に、梱包の効率を上げることができる。
【００１６】
〔請求項３の説明〕『前記記録媒体が、当該オーダの発注内容情報を記録することを特徴とする請求項１又は２のいずれか１項に記載の写真製品生産システム。』
により、オーダの発注内容情報を記録する記録媒体を他の写真プリントなどと照合させる必要なく梱包でき、オーダの発注内容情報を読み取れる写真製品でありながら、記録媒体に記録された内容を読み取りやすいように写真製品を生産する際に、梱包の効率を上げることができる。
【００１７】
〔請求項４の説明〕『前記記録媒体が、当該オーダの納品先情報を記録することを特徴とする請求項１〜３のいずれか１項に記載の写真製品生産システム。』
により、オーダの納品先情報を記録する記録媒体を他の写真プリントなどと照合させる必要なく梱包でき、オーダの納品先情報を読み取れる写真製品でありながら、記録媒体に記録された内容を読み取りやすいように写真製品を生産する際に、梱包の効率を上げることができる。
【００１８】
〔請求項５の説明〕『前記記録媒体が、当該オーダのＩＤ情報又は発注者情報を記録することを特徴とする請求項１〜４のいずれか１項に記載の写真製品生産システム。』
により、オーダのＩＤ情報又は発注者情報を記録する記録媒体を他の写真プリントなどと照合させる必要なく梱包でき、オーダのＩＤ情報又は発注者情報を読み取れる写真製品でありながら、記録媒体に記録された内容を読み取りやすいように写真製品を生産する際に、梱包の効率を上げることができる。
【００１９】
〔請求項６の説明〕『前記記録媒体が、当該オーダの料金の内訳を記録することを特徴とする請求項１〜５のいずれか１項に記載の写真製品生産システム。』
により、オーダの料金の内訳を記録する記録媒体を他の写真プリントなどと照合させる必要なく梱包でき、オーダの料金の内訳を読み取れる写真製品でありながら、記録媒体に記録された内容を読み取りやすいように写真製品を生産する際に、梱包の効率を上げることができる。
【００２０】
なお、オーダの料金の内訳には、写真原稿が現像済感光材料である場合の同時プリントのとき、プリント代金の他に、写真原稿の現像代金があり、さらに、インデックスプリントを添付すると、インデックスプリント代金がある。また、写真原稿がいかなるものであっても、インデックスプリントを添付する場合、プリント代金の他に、インデックスプリント代金がある。また、写真原稿が現像済感光材料である場合の現像のみサービスでインデックスプリントを添付するとき、写真原稿の現像代金とインデックスプリント代金がある。インデックスプリントのみを作成する場合は、インデックスプリント代金がある。なお、上述の料金の内訳は代表的なものであり、本発明はこれに限られるものではない。
【００２１】
〔請求項１〜請求項６の説明〕
当該オーダ分の１又は複数の写真プリントの直前又は直後に、当該オーダ分の料金を記録する記録媒体が存在するようにプリントを生産するのに、「当該オーダ分の１又は複数の写真プリントの直前又は直後に、前記写真プリントのプリント媒体とは別の媒体から作成された当該オーダの記録媒体を供給すること」によってもよいし、（Ａ）「前記プリント作成手段により１オーダの写真原稿に記録された各駒画像から１又は複数の写真プリントを作成するためのプリント媒体の（搬送方向で）直前又は直後のプリント媒体から、前記料金記録手段が前記記録媒体を作成することにより、前記供給手段が、前記梱包手段へ、前記プリント作成手段により作成された１オーダ分の１又は複数の写真プリントと、当該オーダ分の１又は複数の写真プリントの直前又は直後に、前記料金記録手段により当該オーダの処理に対応する料金を記録された記録媒体を搬送して供給すること」によってもよいし、他の手段によってもよい。
【００２２】
（Ａ）の場合、さらに、当該オーダ分の写真プリントの直前又は直後に、作成された当該オーダの記録媒体が存在するように制御することが簡単になる。この場合の料金記録手段は、「前記プリント媒体の供給方向で前記プリント作成手段の上流側に有する」ようにしてもよいし、「前記プリント媒体の供給方向で前記プリント作成手段の下流側に有する」ようにしてもよいし（この場合、記録媒体を作成するための情報をプリント作成部で得てもよく、記録媒体を作成できるようにするための設計の自由度が高い。）、「前記プリント作成手段と同じ位置に有する」ようにしてもよい。（この場合、プリント作成手段のプリント媒体の供給機構や供給制御で、料金記録手段が記録媒体に記録できる。）そして、「前記プリント作成手段と同じ位置に有する」場合、「前記プリント作成手段が前記料金記録手段を兼ねること」により、ミスの発生しにくい制御がより簡単にできる。
【００２３】
〔請求項７の説明〕『１オーダの写真原稿に記録された各駒画像から１又は複数の写真プリントを作成するための露光工程と、
前記１オーダの写真プリントの搬送方向における当該写真プリントの直前又は直後の位置であって、当該写真プリントに用いられる写真感光材料上に、前記１オーダの処理に対応する料金を記録し、記録媒体を作成するための露光工程、又は、前記１オーダの写真プリントの搬送方向における当該写真プリントの直前又は直後に、１オーダの処理に対応する料金が記録された記録媒体を供給する工程と、
前記写真感光材料を現像する現像工程と、
前記写真感光材料を切断する切断工程と、を含み、かつ、
ソータ上であって、作成された写真プリントの最後の写真プリントの上に前記記録媒体が供給されることを特徴とする写真製品の生産方法。』
により、当該オーダ分の１又は複数の写真プリントの直前又は直後に、当該オーダの処理に対応する料金を記録された記録媒体を搬送して供給するので、当該オーダの写真プリントと記録媒体との対応をとりやすく、かつ、梱包手段で記録媒体だけ特別な経路で処理するにしても処理しやすく、また、梱包手段で当該オーダの写真プリントと同一経路で処理してそのまま梱包しても外側に記録媒体が位置することになり、記録媒体に記録された内容を読み取りやすいように写真製品を生産する際に、梱包の効率を上げることができる。
【００２５】
〔請求項７の説明〕
なお、当該１オーダ分の１若しくは複数の写真プリントの直前若しくは直後に、前記オーダの処理に対応する料金を記録した記録媒体を搬送して供給する方法としては、「作成された当該１オーダ分の１若しくは複数の写真プリントの直前若しくは直後に、前記写真プリントとは別に作成された当該オーダの前記記録媒体を供給することにより、当該１オーダ分の１若しくは複数の写真プリントの直前若しくは直後に、前記オーダの処理に対応する料金を記録した記録媒体を搬送して供給するようにする」方法Ｄでも、写真プリントの作成に処理工程が必要な場合、「処理工程前に、当該１オーダ分の１若しくは複数の未処理写真プリントの（搬送方向で）直前又は直後に、当該オーダの記録媒体が存在するように搬送することにより、当該１オーダ分の１若しくは複数の写真プリントの直前若しくは直後に、前記オーダの処理に対応する料金を記録した記録媒体を搬送して供給するようにする」方法Ｂであっても、写真プリントがウエブ状のプリント媒体を切断して形成する場合、「ウエブ状のプリント媒体が少なくともオーダ毎に切断された状態で搬送されている間に、オーダ毎のプリント媒体の（搬送方向で）直前又は直後に、当該オーダの記録媒体を供給することにより、当該１オーダ分の１若しくは複数の写真プリントの直前若しくは直後に、前記オーダの処理に対応する料金を記録した記録媒体を搬送して供給するようにする」方法Ｃであってもよい。
【００２６】
なお、方法Ｂにより、当該１オーダ分の１若しくは複数の写真プリントの直前若しくは直後に、前記オーダの処理に対応する料金を記録した記録媒体を搬送して供給するように制御することが簡単であり、また、処理工程やその後の工程でトラブルが発生しても、記録媒体によって当該オーダの情報を得ることができる。
【００２７】
また、方法Ｃにより、ウエブ状のプリント媒体が個々のプリントに切断される前に、オーダ毎のウエブ状のプリント媒体の直前又は直後に、当該オーダの記録媒体を供給するので、当該１オーダ分の１若しくは複数の写真プリントの直前若しくは直後に、前記オーダの処理に対応する料金を記録した記録媒体を搬送して供給するように制御することが簡単であり、また、ウエブ状のプリント媒体を切断する工程やその前後の工程でトラブルが発生しても、記録媒体によって当該オーダ毎の情報を得ることができる。
【００２８】
また、方法Ｂの一例として、「当該１オーダ分の１若しくは複数の未処理写真プリントの（搬送方向で）直前又は直後のプリント媒体を記録媒体用プリント媒体とし、当該記録媒体用プリント媒体から当該オーダの前記記録媒体を作成することにより、処理工程前に、当該１オーダ分の１若しくは複数の未処理写真プリントの（搬送方向で）直前又は直後に、当該オーダの記録媒体が存在するように搬送すること」により、感光材料とは別の特別な記録媒体用シートを供給する必要なく、オーダ毎の感光材料の（搬送方向で）直前又は直後に、作成された当該オーダの記録媒体が存在するようにすることができる。
【００２９】
【発明の実施形態】
以下に本発明に関する具体例の一例を実施形態として示すが、本発明はこれらに限定されない。また、実施形態には、用語等に対する断定的な表現があるが、本発明の好ましい例を示すもので、本発明の用語の意義や技術的範囲を限定するものではない。
【００３０】
実施形態１
本実施形態の写真製品生産システムの概略構成図を図１に示す。以下、本実施形態を図１に基づいて説明する。なお、本実施形態の写真製品生産システムでは、自動焼付装置及び自動現像装置などがプリント作成手段に相当し、自動焼付装置の中に設けられた料金記録部が料金記録手段に相当し、ソータが供給手段に相当し、梱包装置が梱包手段に相当する。本実施形態の自動焼付装置は、写真原稿１に記録された各駒の画像を感光材料２に順次露光する露光部１１を有する。そして、感光材料２を収納する感光材料マガジン１４から感光材料２を送り出し、露光部１１に順次感光材料を供給し、露光部１１から順次感光材料を搬送する感光材料搬送手段（図の矢印の方向に感光材料を搬送する手段）を有する。この感光材料２がウエブ状の感光材料である。そして、この感光材料搬送手段の搬送方向で露光部１１の下流側に、アキューム部１２を介して、料金記録部１３を有する。アキューム部１２を介することで、露光部１１と料金記録部１３の搬送速度の違いや搬送速度の変動の違いを吸収する。
【００３１】
そして、この自動焼付装置では、図２に示すように、感光材料搬送手段により搬送されている感光材料２の内で、オーダ毎のプリント用感光材料２１の（搬送方向で）直前の感光材料を、記録媒体用感光材料２２とし、この記録媒体用感光材料２２に、このオーダ毎の情報を表示する記録媒体３を作成するための露光をする。そのために、料金記録部１３では、デジタル画像信号から記録媒体用感光材料２２に露光するためのＣＲＴ露光装置のようなデジタル露光装置がある。
【００３２】
そして、この自動焼付装置の料金記録部１３を通過した感光材料２は、巻取用マガジン１５に巻き取られ収納される。巻取用マガジン１５に感光材料２を収納すると、巻取用マガジン１５を自動現像機４０にセットする。自動現像機４０は巻取用マガジン１５に収納された感光材料を巻き戻し、現像処理してウエブ状に連なったプリントにする。この際、オーダ毎のプリント用感光材料２１とその直後に連なった状態の記録媒体用感光材料２２とが、当該オーダのプリントとその直後に連なった状態の記録媒体となる。そして、プリントカッタ５１に供給する。プリントカッタ５１はウエブ状に連なったプリントを１駒毎に切断する。この際にプリントと連なった状態の記録媒体もプリントから切断され、記録媒体となる。この記録媒体は、当該オーダの最後のプリントの直後に搬送される。そして、１駒毎に切断されたプリントと記録媒体はソータ５２に送られる。
【００３３】
ソータ５２は切断されたプリントと記録媒体をオーダ毎に仕分ける。この際に、記録媒体は当該オーダの最後のプリントの直後に供給されるので、図３に示すように、プリントの一番上に置かれたプリント集積体４となる。
【００３４】
そして、このソータ５２で仕分けられたプリント集積体４は梱包装置５３で、図７に示すように、当該オーダの写真原稿を収容したネガシート６と共に、上面９２が透明な樹脂フィルムであり下面９１が半透明な樹脂フィルムである写真袋９に収容される。この際に、プリント集積体４の一番上に記録媒体３があるので、簡単にネガシートと照合できる。また、この記録媒体３が上面９２が透明な写真袋９の中の一番上側に置かれ、写真袋９に収容した時に外から見えるようになっている（外から情報を読み取れる）ので、写真袋９に様々な情報を印字する必要がない。
【００３５】
なお、記録媒体３には、図２に示すように、当該記録媒体３に対応するオーダの料金情報３９、料金の内訳情報３１、発注内容情報（同時プリントを選択、２４枚取りフィルム現像、Ｅ判光沢プリント）３２、ＩＤ情報（受付番号）３３、発注者情報（名前、電話番号）３４、ＰＯＳ用コード３５、写真製品生産システム用コード３６、納品先情報（店コード、ルートＮｏ．）３７、広告３８が表示される。これは、料金記録部１３によりこの画像が記録媒体用感光材料に露光されることにより成される。（  ）内は図２で示されている表示である。
【００３６】
また、図７に示す写真袋９は、透明な樹脂フィルムの上面９２と半透明な樹脂フィルムの下面９１とは一体のフィルムを底９４で折り曲げ、両側端９５、９６で熱溶着して形成された写真袋で、プリントなどを収容したのちに空いた一方の口を中央でシール９３でシールしたものである。
【００３７】
実施形態２
本実施形態は実施形態１の変形例である。相違点は、料金記録部１３で露光部１１で露光されて作成されるプリントと記録媒体との間に、そのオーダの写真原稿の画像駒を複数記録したインデックスプリントが搬送されるように、インデックスプリントを作成することだけが相違する。
【００３８】
実施形態３
本実施形態の自動焼付装置を用いた写真製品生産システムの概略構成図を図４に示す。以下、本実施形態を図４に基づいて説明する。なお、本実施形態の写真製品生産システムでは、自動焼付装置及び自動現像装置などがプリント作成手段に相当し、自動焼付装置の中に設けられた露光部が料金記録手段に相当し、ソータが供給手段に相当し、梱包装置が梱包手段に相当する。本実施形態の自動焼付装置１０は、写真原稿１に記録された各駒の画像を感光材料２に順次露光する露光部１１を有する。そして、感光材料２を収納する感光材料マガジン１４から感光材料２を送り出し、露光部１１に順次感光材料を供給し、露光部１１から順次感光材料を搬送する感光材料搬送手段（図の矢印の方向に感光材料を搬送する手段）を有する。この感光材料２がウエブ状の感光材料である。そして、この感光材料搬送手段の搬送方向で露光部１１の上流側に、露光部１１で露光されるサイズに感光材料を切断する感光材料切断部１６を有する。これにより、以降、感光材料は各駒及び記録媒体用感光材料毎に切断された形態で搬送される。従って、各駒の像や記録媒体用の像が他のプリントや他の記録媒体に誤って形成されることはない。
【００３９】
また、写真原稿１は、未現像の写真原稿をパトローネ６５から取り出す取出装置６１により取り出し、現像装置６２で現像処理されたものである。現像装置６２で現像された写真原稿１は合流装置６４を通って露光部１１に供給される。また、合流装置６４から１つのオーダに属する写真原稿１が通過し終わると、そのオーダの記録媒体画像原稿５が記録媒体画像原稿作成装置６３から合流装置６４に送られる。そして、露光部１１が、１つのオーダに属する写真原稿１を露光し終わると、そのオーダの記録媒体画像原稿５を露光する。露光部１１を通過した写真原稿１はエンベロッパ１７で、短尺状に切断されネガシート６に挿入され、ソータ５４に供給される。
【００４０】
記録媒体画像原稿作成装置６３は、１つのオーダ毎に、実施形態１の図２で説明したような記録媒体の写真原稿となる画像を作成するものである。そして、露光部１１で、記録媒体画像原稿５も露光されるので、露光部１１が料金記録部を兼ねており、感光材料搬送手段の搬送方向で前記露光部と同じ位置に、前記料金記録部を有することになる。
【００４１】
そして、この自動焼付装置１０の露光部１１を通過した感光材料２は、自動現像機４０に供給される。自動現像機４０は感光材料２を現像処理して、プリントにする。この際、記録媒体用感光材料も記録媒体となる。そして、プリントと記録媒体はソータ５４に送られる。
【００４２】
ソータ５４はプリントと記録媒体をオーダ毎に仕分ける。この際に、記録媒体はオーダの最後のプリントの直後に供給されるので、図５に示すように、プリントの一番上に置かれたプリント集積体４となる。また、ソータ５４はプリント集積体４のオーダのネガシート６を、そのオーダのプリント集積体４の隣に配置する。
【００４３】
そして、このソータ５４で仕分けられた当該オーダのプリント集積体４とネガシート６は梱包装置５５で、写真袋９に収容される。この際に、プリント集積体４の一番上に記録媒体３があるので、簡単に当該オーダの写真原稿を収容したネガシート６と照合できる。そして、照合されたネガシート６と共にプリント集積体４は、図７に示すように、上面９２が透明な樹脂フィルムであり下面９１が半透明な樹脂フィルムである写真袋９に収容される。この際に、プリント集積体４の一番上に記録媒体３があるので、簡単にネガシートと照合できる。また、この記録媒体３が上面９２が透明な写真袋９の中の一番上側に置かれ、写真袋９に収容した時に外から見えるようになっているので、写真袋９に様々な情報を印字する必要がない。
【００４４】
なお、記録媒体３には、図２に示すように、当該記録媒体３に対応するオーダの料金情報３９、料金の内訳情報３１、発注内容情報（同時プリントを選択、２４枚取りフィルム現像、Ｅ判光沢プリント）３２、ＩＤ情報（受付番号）３３、発注者情報（名前、電話番号）３４、ＰＯＳ用コード３５、写真製品生産システム用コード３６、納品先情報（店コード、ルートＮｏ．）３７、広告３８が表示される。これは、料金記録部１３によりこの画像が露光されることにより成される。（  ）内は図２で示されている表示である。
【００４５】
また、図７に示す写真袋９は、透明な樹脂フィルムの上面９２と半透明な樹脂フィルムの下面９１とが一体のフィルムを底９４で折り曲げ、両側端９５、９６で熱溶着した写真袋で、プリントなどを収容したのちに空いた一方の口を中央でシール９３でシールしたものである。
【００４６】
実施形態４
本実施形態は、実施形態３の変形例である。ソータ５４と梱包装置５５が相違するだけで他は実施形態３と同じである。ソータ５４はプリントと記録媒体をオーダ毎に仕分ける。この際に、先ず、ソータ５４はそのオーダのネガシート６を、ソータビンの底に配置する。そして、次にそのオーダのプリント集積体を当該オーダのソータビンに配置する。そして、記録媒体はオーダの最後のプリントの直後に供給されるので、図５に示すように、プリントの一番上に置かれたプリント集積体４となる。
【００４７】
そして、このソータ５４で仕分けられた当該オーダのプリント集積体４とネガシート６は梱包装置５５で、写真袋９に収容される。この際に、プリント集積体４の一番上に記録媒体３があり、その底にネガシート６があるので、当該オーダの写真原稿を収容したネガシート６と照合する必要がない。そして、ネガシート６と共にプリント集積体４は、図７に示すように、上面９２が透明な樹脂フィルムであり下面９１が半透明な樹脂フィルムである写真袋９に収容される。この際に、プリント集積体４の一番上に記録媒体３があるので、簡単にネガシートと照合できる。また、この記録媒体３が上面９２が透明な写真袋９の中の一番上側に置かれ、写真袋９に収容した時に外から見えるようになっているので、写真袋９に様々な情報を印字する必要がない。
【００４８】
実施形態５
本実施形態の自動焼付装置を用いた写真製品生産システムの概略構成図を図６に示す。以下、本実施形態を図６に基づいて説明する。本実施形態の自動焼付装置は、写真原稿１に記録された各駒の画像を感光材料２に順次露光する露光部１１を有する。そして、感光材料２を収納する感光材料マガジン１４から感光材料２を送り出し、露光部１１に順次感光材料を供給し、露光部１１から順次感光材料を搬送する感光材料搬送手段（図の矢印の方向に感光材料を搬送する手段）を有する。この感光材料２がウエブ状の感光材料である。そして、この感光材料搬送手段の搬送方向で露光部１１の下流側に、１オーダ毎に感光材料を切断する切断部１８を介して、合流部１９を有する。切断部１８を介することで、合流部１９で料金記録部１３で作成された記録媒体を１オーダの感光材料の直前に挿入することができる。
【００４９】
料金記録部１３は、記録媒体用シート収容容器８から記録媒体用シートを取り出し、取り出した記録媒体用シートに実施形態１の図２に示したような記録媒体画像を印刷し、記録媒体３を合流部１９に送る。なお、記録媒体用シートは現像処理液に耐性を有するシートである。
【００５０】
そして、この合流部１９を通過した記録媒体３と感光材料２は、巻取用マガジン１５に収納される。巻取用マガジン１５に記録媒体３と感光材料２を巻き取り収納すると、巻取用マガジン１５を自動現像機４０にセットする。自動現像機４０は巻取用マガジン１５に収納された感光材料２と記録媒体３を送り出し、現像処理してウエブ状に連なったプリントにする。この際、記録媒体は当該オーダのプリントの直後に搬送される。そして、プリントカッタ５１に供給する。プリントカッタ５１はウエブ状に連なったプリントを１駒毎に切断する。この際にプリントの直後に来る記録媒体は素通りする。そして、１駒毎に切断されたプリントと記録媒体はソータ５２に送られる。
【００５１】
ソータ５２は切断されたプリントと記録媒体をオーダ毎に仕分ける。この際に、記録媒体はオーダの最後のプリントの直後に供給されるので、図３に示すように、プリントの一番上に置かれたプリント集積体４となる。
【００５２】
そして、このソータ５２で仕分けられたプリント集積体４は梱包装置５３で、図７に示すように、当該オーダの写真原稿を収容したネガシート６と共に、上面９２が透明な樹脂フィルムであり下面９１が半透明な樹脂フィルムである写真袋９に収容される。この際に、プリント集積体４の一番上に記録媒体３があるので、簡単にネガシートと照合できる。また、この記録媒体３が上面９２が透明な写真袋９の中の一番上側に置かれ、写真袋９に収容した時に外から見えるようになっている（外から情報を読み取れる）ので、写真袋９に様々な情報を印字する必要がない。
【００５３】
なお、記録媒体３には、図２に示すように、当該記録媒体３に対応するオーダの料金情報３９、料金の内訳情報３１、発注内容情報（同時プリントを選択、２４枚取りフィルム現像、Ｅ判光沢プリント）３２、ＩＤ情報（受付番号）３３、発注者情報（名前、電話番号）３４、ＰＯＳ用コード３５、写真製品生産システム用コード３６、納品先情報（店コード、ルートＮｏ．）３７、広告３８が表示される。これは、料金記録部１３によりこの画像が記録媒体用感光材料に露光されることにより成される。（  ）内は図２で示されている表示である。
【００５４】
また、図７に示す写真袋９は、透明な樹脂フィルムの上面９２と半透明な樹脂フィルムの下面９１とは一体のフィルムを底９４で折り曲げ、両側端９５、９６で熱溶着して形成た写真袋で、プリントなどを収容したのちに空いた一方の口を中央でシール９３でシールしたものである。
【００５５】
なお、上述の各実施形態において、１本の撮影用写真フィルムから得られた写真原稿に係わる写真処理の注文を１つのオーダとして取り扱うものであるが、本発明はこれに限らず、１つの注文に係わる全ての写真原稿に係わる写真処理の注文を１つのオーダとして取り扱うものであってもよい。
【００５６】
また、上述の各実施形態において、ＰＯＳ用コードは、写真業界特有の写真処理であることを示すコードとそのオーダに係わる価格を示すコードから成るものであり、商品を特定する情報をコード化した他の業界のＰＯＳ用コードと異なるものである。
【００５７】
【発明の効果】
本発明により、写真プリントの間に記録媒体が紛れ込むことなく、梱包の効率を上げることができる。
【図面の簡単な説明】
【図１】実施形態１の写真製品生産システムの概略構成図。
【図２】実施形態１の感光材料の潛像及びプリントの一例を示す図と、記録媒体を示す図。
【図３】実施形態１のソータの要部斜視図。
【図４】実施形態３の写真製品生産システムの概略構成図。
【図５】実施形態３のソータの要部斜視図。
【図６】実施形態５の写真製品生産システムの概略構成図。
【図７】実施形態の写真製品の概略斜視図。
【符号の説明】
１  写真原稿
２  感光材料
３  記録媒体
４  プリント集積体
６  ネガシート
９  写真袋
１０  自動焼付装置
１１  露光部
１２  アキューム部
１３  料金記録部
４０  自動現像装置
５１  プリントカッタ
５２，５４  ソータ
５３，５５  梱包装置
【図１】
0003551402.tif 000002
【図２】
0003551402.tif 000003
【図３】
0003551402.tif 000004
【図４】
0003551402.tif 000005
【図５】
0003551402.tif 000006
【図６】
0003551402.tif 000007
【図７】
0003551402.tif 000008